(57)【要約】【課題】サイマル放送の関係にあるＩＰラジオのステーションのURLを取得できない放送についてＩＰラジオへの切替を行える「放送受信装置」を提供する。【解決手段】時刻ｔ０においてＤＡＢのサービスの受信を開始したならば、ＲａｄｉｏＤＮＳ５からＤＡＢのサービスとサイマル放送の関係にあるＩＰラジオのステーションのURLを取得し保存する。その後、時刻ｔ１でＤＡＢのサービスの受信品質が劣化したならば、ＤＡＢのサービスとサイマル放送の関係にあるＦＭ放送のステーションの受信を開始する。そして、時刻ｔ２でＦＭ放送のステーションの受信品質が劣化したならば、保存されていURLが示すＩＰラジオのステーションの受信を開始する。【選択図】図８
2018082399.tif 000002
【特許請求の範囲】
【請求項１】
第１の放送規格によるラジオ放送と、第２の放送規格によるラジオ放送と、ＩＰラジオとを受信する、インターネットに接続可能な放送受信装置であって、
受信対象放送に設定された放送サービスからコンテンツを受信し受信したコンテンツを出力する受信出力部と、
前記第１の放送規格のラジオ放送の放送サービスと前記第２の放送規格のラジオ放送の放送サービスと前記ＩＰラジオの放送サービスの優先順位を、前記第１の放送規格のラジオ放送の放送サービス、前記第２の放送規格のラジオ放送の放送サービス、前記ＩＰラジオの放送サービスの順として、前記受信対象放送の受信品質が劣化したときに、前記受信対象放送で放送されているコンテンツの受信が継続されるように、前記優先順位に従って、当該コンテンツを放送している前記第１の放送規格のラジオ放送の放送サービスと前記第２の放送規格のラジオ放送の放送サービスと前記ＩＰラジオの放送サービスとの間で前記受信対象放送の切り替えを行う放送サービスフォロー部と、
前記第１の放送規格のラジオ放送の放送サービスが前記受信対象放送に設定されているときに、前記第１の放送規格のラジオ放送の各放送サービスについて当該放送サービスと同じコンテンツを放送している前記ＩＰラジオの放送サービスの識別情報を提供する情報サービスに前記インターネットを介して接続し、当該情報サービスから、当該受信対象放送に設定されている前記第１の放送規格のラジオ放送の放送サービスと同じコンテンツを放送している前記ＩＰラジオの放送サービスの識別情報を取得し保存するＩＰラジオ識別情報取得部とを有し、
前記放送サービスフォロー部は、前記第２の放送規格のラジオ放送の放送サービスが前記受信対象放送に設定されているときに、当該受信対象放送と同じコンテンツを放送している前記第１の放送規格のラジオ放送の放送サービスが前記受信対象放送であったときに保存された前記識別情報が示すＩＰラジオの放送サービスを、前記受信対象放送に設定されている前記第２の放送規格のラジオ放送の放送サービスと同じコンテンツを放送している前記ＩＰラジオの放送サービスとして、前記受信対象放送の切り替えを行うことを特徴とする放送受信装置。
【請求項２】
第１の放送規格によるラジオ放送と、第２の放送規格によるラジオ放送と、ＩＰラジオとを受信する、インターネットに接続可能な放送受信装置であって、
受信対象放送に設定された放送サービスからコンテンツを受信し受信したコンテンツを出力する受信出力部と、
前記第１の放送規格のラジオ放送の放送サービスが前記受信対象放送に設定されているときに、前記インターネットを介して前記第１の放送規格のラジオ放送の各放送サービスについて当該放送サービスと同じコンテンツを放送している前記ＩＰラジオの放送サービスの識別情報を提供する情報サービスに接続し、当該情報サービスから、当該受信対象放送に設定されている前記第１の放送規格のラジオ放送の放送サービスと同じコンテンツを放送している前記ＩＰラジオの放送サービスの識別情報を取得し保存するＩＰラジオ識別情報取得部と、
前記第１の放送規格のラジオ放送の放送サービスが前記受信対象放送に設定されているときに、当該受信対象放送の受信品質が劣化したときに、少なくとも当該受信対象放送に設定されている前記第１の放送規格のラジオ放送の放送サービスと同じコンテンツを放送している他の前記第１の放送規格のラジオ放送の放送サービスを受信可能でない場合には、当該受信対象放送と同じコンテンツを放送している前記第２の放送規格のラジオ放送の放送サービスに前記受信対象放送を切り替え、前記第２の放送規格のラジオ放送の放送サービスが前記受信対象放送に設定されているときに、当該受信対象放送の受信品質が劣化したときに、少なくとも当該受信対象放送に設定されている前記第２の放送規格のラジオ放送の放送サービスと同じコンテンツを放送している前記第１の放送規格のラジオ放送の放送サービスも当該受信対象放送に設定されている前記第２の放送規格のラジオ放送の放送サービスと同じコンテンツを放送している他の前記第２の放送規格のラジオ放送の放送サービスも受信可能でない場合には、当該受信対象放送と同じコンテンツを放送している前記第１の放送規格のラジオ放送の放送サービスが前記受信対象放送であったときに保存された前記識別情報が示すＩＰラジオの放送サービスに前記受信対象放送を切り替える放送サービスフォロー部とを有することを特徴とする放送受信装置。
【請求項３】
請求項２記載の放送受信装置であって、
前記ＩＰラジオ識別情報取得部は、前記第１の放送規格のラジオ放送の放送サービスから前記第２の放送規格のラジオ放送の放送サービスに前記放送サービスフォロー部によって受信対象放送が切り替えられた場合に、当該切り替え前に受信対象放送であった第１の放送規格のラジオ放送の放送サービスが受信対象放送に設定されているときに取得した前記ＩＰラジオの放送サービスの識別情報を、当該切り替え後に受信対象放送に設定された前記第２の放送規格のラジオ放送の放送サービスの識別と対応づけて保存し、
前記放送サービスフォロー部は、前記第２の放送規格のラジオ放送の放送サービスが前記受信対象放送に設定されているときに、当該受信対象放送の受信品質が劣化したときに、少なくとも当該受信対象放送に設定されている前記第２の放送規格のラジオ放送の放送サービスと同じコンテンツを放送している前記第１の放送規格のラジオ放送の放送サービスも当該受信対象放送に設定されている前記第２の放送規格のラジオ放送の放送サービスと同じコンテンツを放送している他の前記第２の放送規格のラジオ放送の放送サービスも受信可能でない場合には、当該受信対象放送に設定されている前記第２の放送規格のラジオ放送の放送サービスの識別と対応づけて保存されている前記識別情報が示すＩＰラジオの放送サービスに前記受信対象放送を切り替えることを特徴とする放送受信装置。
【請求項４】
請求項２または３記載の放送受信装置であって、
前記放送サービスフォロー部は、前記第２の放送規格のラジオ放送の放送サービスが前記受信対象放送に設定されているときに、当該受信対象放送と同じコンテンツを放送している前記第１の放送規格のラジオ放送の放送サービスを受信可能となったときに、当該受信可能な第１の放送規格のラジオ放送の放送サービスに前記受信対象放送を切り替えることを特徴とする放送受信装置。
【請求項５】
請求項２、３または４記載の放送受信装置であって、
前記放送サービスフォロー部は、前記ＩＰラジオの放送サービスが前記受信対象放送に設定されているときに、当該受信対象放送と同じコンテンツを放送している前記第１の放送規格のラジオ放送の放送サービスを受信可能となったときに、当該受信可能な第１の放送規格のラジオ放送の放送サービスに前記受信対象放送を切り替えることを特徴とする放送受信装置。
【請求項６】
請求項１、２、３、４または５記載の放送受信装置であって、
前記第１の放送規格のラジオ放送はデジタルラジオ放送であり、前記第２の放送規格のラジオ放送はアナログラジオ放送であることを特徴とする放送受信装置。
【請求項７】
請求項６記載の放送受信装置であって、
前記第１の放送規格のラジオ放送はＤＡＢ（Digital Audio Broadcasting）であり、前記第２の放送規格のラジオ放送はＦＭ放送であることを特徴とする放送受信装置。
【請求項８】
請求項１、２、３、４、５、６または７記載の放送受信装置であって、
前記情報サービスは、RadioDNS規格に従ったサービスであることを特徴とする放送受信装置。
【請求項９】
請求項１、２、３、４、５、６、７または８記載の放送受信装置であって、
当該放送受信装置は自動車に搭載された車載型の放送受信装置であることを特徴とする放送受信装置。
【請求項１０】
第１の放送規格によるラジオ放送と、第２の放送規格によるラジオ放送と、ＩＰラジオとを受信する、インターネットに接続可能な放送受信装置において、コンテンツの受信と受信したコンテンツの出力を行う放送サービスである受信対象放送を、同じコンテンツを放送している放送サービス間で切り替える放送サービス切替方法であって、
前記第１の放送規格のラジオ放送の放送サービスが前記受信対象放送に設定されているときに、前記インターネットを介して前記第１の放送規格のラジオ放送の各放送サービスについて当該放送サービスと同じコンテンツを放送している前記ＩＰラジオの放送サービスの識別情報を提供する情報サービスに接続し、当該情報サービスから、当該受信対象放送に設定されている前記第１の放送規格のラジオ放送の放送サービスと同じコンテンツを放送している前記ＩＰラジオの放送サービスの識別情報を取得し保存するＩＰラジオ識別情報取得ステップと、
前記第１の放送規格のラジオ放送の放送サービスが前記受信対象放送に設定されているときに、当該受信対象放送の受信品質が劣化したときに、少なくとも当該受信対象放送に設定されている前記第１の放送規格のラジオ放送の放送サービスと同じコンテンツを放送している他の前記第１の放送規格のラジオ放送の放送サービスを受信可能でない場合には、当該受信対象放送と同じコンテンツを放送している前記第２の放送規格のラジオ放送の放送サービスに前記受信対象放送を切り替え、前記第２の放送規格のラジオ放送の放送サービスが前記受信対象放送に設定されているときに、当該受信対象放送の受信品質が劣化したときに、少なくとも当該受信対象放送に設定されている前記第２の放送規格のラジオ放送の放送サービスと同じコンテンツを放送している前記第１の放送規格のラジオ放送の放送サービスも当該受信対象放送に設定されている前記第２の放送規格のラジオ放送の放送サービスと同じコンテンツを放送している他の前記第２の放送規格のラジオ放送の放送サービスも受信可能でない場合には、当該受信対象放送と同じコンテンツを放送している前記第１の放送規格のラジオ放送の放送サービスが前記受信対象放送であったときに保存された前記識別情報が示すＩＰラジオの放送サービスに前記受信対象放送を切り替える放送サービスフォローステップとを有することを特徴とする放送サービス切替方法。
【請求項１１】
請求項１０記載の放送サービス切替方法であって、
前記ＩＰラジオ識別情報取得ステップにおいて、前記第１の放送規格のラジオ放送の放送サービスから前記第２の放送規格のラジオ放送の放送サービスに前記放送サービスフォローステップによって受信対象放送が切り替えられた場合に、当該切り替え前に受信対象放送であった第１の放送規格のラジオ放送の放送サービスが受信対象放送に設定されているときに取得した前記ＩＰラジオの放送サービスの識別情報を、当該切り替え後に受信対象放送に設定された前記第２の放送規格のラジオ放送の放送サービスの識別と対応づけて保存し、
前記放送サービスフォローステップにおいて、前記第２の放送規格のラジオ放送の放送サービスが前記受信対象放送に設定されているときに、当該受信対象放送の受信品質が劣化したときに、少なくとも当該受信対象放送に設定されている前記第２の放送規格のラジオ放送の放送サービスと同じコンテンツを放送している前記第１の放送規格のラジオ放送の放送サービスも当該受信対象放送に設定されている前記第２の放送規格のラジオ放送の放送サービスと同じコンテンツを放送している他の前記第２の放送規格のラジオ放送の放送サービスも受信可能でない場合には、当該受信対象放送に設定されている前記第２の放送規格のラジオ放送の放送サービスの識別と対応づけて保存されている前記識別情報が示すＩＰラジオの放送サービスに前記受信対象放送を切り替えることを特徴とする放送サービス切替方法。
【発明の詳細な説明】
【技術分野】
【０００１】
本発明は、放送受信装置において、受信する放送を受信中の放送から当該放送と同内容の放送を行っている他の放送に切り替える技術に関するものである。
【背景技術】
【０００２】
放送受信装置において、受信する放送を受信中の放送から当該放送と同内容の放送を行っている他の放送(受信中の放送とサイマル放送の関係にある放送)に切り替える技術としては、受信中のＦＭ放送の受信品質が劣化したときに、ラジオ放送とサイマル放送の関係にあるＩＰラジオのステーションに、受信対象を切り替える技術が知られている（たとえば、特許文献１）。
【０００３】
また、ラジオ放送とサイマル放送の関係にあるＩＰラジオのステーションのURLをインターネットを介して提供するRadioDNSの技術(非特許文献１）も知られている。
また、放送受信装置において、受信する放送を受信中の放送とサイマル放送の関係にある他の放送に切り替える技術としては、ＤＡＢ（Digital Audio Broadcasting）とＦＭ放送とを受信するラジオ放送受信装置において、受信中のＤＡＢのサービスの受信品質が劣化したときに、当該ＤＡＢのサービスとサイマル放送の関係にあるＦＭ放送のステーションに、受信対象を切り替える技術も知られている（たとえば、特許文献２）。
【先行技術文献】
【特許文献】
【０００４】
【特許文献１】特開２０１３-２０１４６９号公報
【特許文献２】特開２０１３-１２０９６７号公報
【非特許文献】
【０００５】
【非特許文献１】The RadioDNS Project、 "RadioDNS Technical Specification RDNS01 V1.0.0  (2012-02)" 、[online]、 [平成28年11月9日検索]、インターネット＜URL:https://radiodns.org/wp-content/uploads/2014/02/RDNS01-1.0.0.pdf＞
【発明の概要】
【発明が解決しようとする課題】
【０００６】
移動体に搭載されたＤＡＢとＦＭ放送とＩＰラジオを受信可能な放送受信装置において、受信中の放送の受信品質が劣化したときでもユーザが放送されているコンテンツの利用を継続できるように、受信する放送を受信中の放送から当該放送とサイマル放送の関係にある放送に切り替える場合、ＩＰラジオの受信には通信料金の負担が生じること、及び、ＦＭ放送はＤＡＢより音声の品質が低いことより、優先順位をＤＡＢ、ＦＭ放送、ＩＰラジオの順としてサイマル放送間の切替を行うことが考えられる。
【０００７】
しかしながら、このような切替を行う上では、次のような問題がある。
すなわち、放送事業者によっては、上述したRadioDNSによって、ＤＡＢとサイマル放送の関係にあるＩＰラジオのステーションのURLを提供している一方で、当該ＤＡＢとサイマル放送の関係にあるＦＭ放送については、当該ＦＭ放送とサイマル放送の関係にあるＩＰラジオのステーションのURLを提供していない場合がある。
【０００８】
そして、このような場合には、ＦＭ放送を受信中に受信中のＦＭ放送とサイマル放送の関係にあるＩＰラジオのステーションのURLを取得することができず、ＤＡＢを受信できない状況で受信中のＦＭ放送の受信品質が劣化した場合に、受信する放送のＩＰラジオへの切替を行うことができなくなる。
【０００９】
そこで、本発明は、インターネットを介してサイマル放送の関係にあるＩＰラジオのステーションのURLを取得できない放送についても、当該放送とサイマル放送の関係にあるＩＰラジオへの切替を可及的に行えるようにすることを課題とする。
【課題を解決するための手段】
【００１０】
前記課題達成のために、本発明は、第１の放送規格によるラジオ放送と、第２の放送規格によるラジオ放送と、ＩＰラジオとを受信する、インターネットに接続可能な放送受信装置を、受信対象放送に設定された放送サービスからコンテンツを受信し受信したコンテンツを出力する受信出力部と、前記第１の放送規格のラジオ放送の放送サービスと前記第２の放送規格のラジオ放送の放送サービスと前記ＩＰラジオの放送サービスの優先順位を、前記第１の放送規格のラジオ放送の放送サービス、前記第２の放送規格のラジオ放送の放送サービス、前記ＩＰラジオの放送サービスの順として、前記受信対象放送の受信品質が劣化したときに、前記受信対象放送で放送されているコンテンツの受信が継続されるように、前記優先順位に従って、当該コンテンツを放送している前記第１の放送規格のラジオ放送の放送サービスと前記第２の放送規格のラジオ放送の放送サービスと前記ＩＰラジオの放送サービスとの間で前記受信対象放送の切り替えを行う放送サービスフォロー部と、前記第１の放送規格のラジオ放送の放送サービスが前記受信対象放送に設定されているときに、前記第１の放送規格のラジオ放送の各放送サービスについて当該放送サービスと同じコンテンツを放送している前記ＩＰラジオの放送サービスの識別情報を提供する情報サービスに前記インターネットを介して接続し、当該情報サービスから、当該受信対象放送に設定されている前記第１の放送規格のラジオ放送の放送サービスと同じコンテンツを放送している前記ＩＰラジオの放送サービスの識別情報を取得し保存するＩＰラジオ識別情報取得部とを含めて構成したものである。ただし、前記放送サービスフォロー部は、前記第２の放送規格のラジオ放送の放送サービスが前記受信対象放送に設定されているときに、当該受信対象放送と同じコンテンツを放送している前記第１の放送規格のラジオ放送の放送サービスが前記受信対象放送であったときに保存された前記識別情報が示すＩＰラジオの放送サービスを、前記受信対象放送に設定されている前記第２の放送規格のラジオ放送の放送サービスと同じコンテンツを放送している前記ＩＰラジオの放送サービスとして、前記受信対象放送の切り替えを行うものである。
【００１１】
また、前記課題達成のために、本発明は、第１の放送規格によるラジオ放送と、第２の放送規格によるラジオ放送と、ＩＰラジオとを受信する、インターネットに接続可能な放送受信装置を、受信対象放送に設定された放送サービスからコンテンツを受信し受信したコンテンツを出力する受信出力部と、前記第１の放送規格のラジオ放送の放送サービスが前記受信対象放送に設定されているときに、前記インターネットを介して前記第１の放送規格のラジオ放送の各放送サービスについて当該放送サービスと同じコンテンツを放送している前記ＩＰラジオの放送サービスの識別情報を提供する情報サービスに接続し、当該情報サービスから、当該受信対象放送に設定されている前記第１の放送規格のラジオ放送の放送サービスと同じコンテンツを放送している前記ＩＰラジオの放送サービスの識別情報を取得し保存するＩＰラジオ識別情報取得部と、前記第１の放送規格のラジオ放送の放送サービスが前記受信対象放送に設定されているときに、当該受信対象放送の受信品質が劣化したときに、少なくとも当該受信対象放送に設定されている前記第１の放送規格のラジオ放送の放送サービスと同じコンテンツを放送している他の前記第１の放送規格のラジオ放送の放送サービスを受信可能でない場合には、当該受信対象放送と同じコンテンツを放送している前記第２の放送規格のラジオ放送の放送サービスに前記受信対象放送を切り替え、前記第２の放送規格のラジオ放送の放送サービスが前記受信対象放送に設定されているときに、当該受信対象放送の受信品質が劣化したときに、少なくとも当該受信対象放送に設定されている前記第２の放送規格のラジオ放送の放送サービスと同じコンテンツを放送している前記第１の放送規格のラジオ放送の放送サービスも当該受信対象放送に設定されている前記第２の放送規格のラジオ放送の放送サービスと同じコンテンツを放送している他の前記第２の放送規格のラジオ放送の放送サービスも受信可能でない場合には、当該受信対象放送と同じコンテンツを放送している前記第１の放送規格のラジオ放送の放送サービスが前記受信対象放送であったときに保存された前記識別情報が示すＩＰラジオの放送サービスに前記受信対象放送を切り替える放送サービスフォロー部とを含めて構成したものである。
【００１２】
これらのような放送受信装置によれば、第２の放送規格のラジオ放送の放送サービスがコンテンツの受信及び出力を行う受信対象放送であるときに、同じコンテンツを放送しているＩＰラジオの放送サービスの識別情報を情報サービスから取得できない場合でも、当該第２の放送規格のラジオ放送の放送サービスと同じコンテンツを放送している第１の放送規格のラジオ放送の放送サービスが受信対象放送であったときに情報サービスから取得しておいたＩＰラジオの放送サービスの識別情報を用いて、当該第２の放送規格のラジオ放送の放送サービスと同じコンテンツを放送しているＩＰラジオの放送サービスに受信対象放送を切り替えることができるようになる。
【００１３】
ここで、このような放送受信装置は、前記ＩＰラジオ識別情報取得部において、前記第１の放送規格のラジオ放送の放送サービスから前記第２の放送規格のラジオ放送の放送サービスに前記放送サービスフォロー部によって受信対象放送が切り替えられた場合に、当該切り替え前に受信対象放送であった第１の放送規格のラジオ放送の放送サービスが受信対象放送に設定されているときに取得した前記ＩＰラジオの放送サービスの識別情報を、当該切り替え後に受信対象放送に設定された前記第２の放送規格のラジオ放送の放送サービスの識別と対応づけて保存し、前記放送サービスフォロー部において、前記第２の放送規格のラジオ放送の放送サービスが前記受信対象放送に設定されているときに、当該受信対象放送の受信品質が劣化したときに、少なくとも当該受信対象放送に設定されている前記第２の放送規格のラジオ放送の放送サービスと同じコンテンツを放送している前記第１の放送規格のラジオ放送の放送サービスも当該受信対象放送に設定されている前記第２の放送規格のラジオ放送の放送サービスと同じコンテンツを放送している他の前記第２の放送規格のラジオ放送の放送サービスも受信可能でない場合には、当該受信対象放送に設定されている前記第２の放送規格のラジオ放送の放送サービスの識別と対応づけて保存されている前記識別情報が示すＩＰラジオの放送サービスに前記受信対象放送を切り替えるように構成してもよい。
【００１４】
また、以上の放送受信装置は、前記放送サービスフォロー部において、前記第２の放送規格のラジオ放送の放送サービスが前記受信対象放送に設定されているときに、当該受信対象放送と同じコンテンツを放送している前記第１の放送規格のラジオ放送の放送サービスを受信可能となったときに、当該受信可能な第１の放送規格のラジオ放送の放送サービスに前記受信対象放送を切り替えるように構成してもよい。
【００１５】
また、以上の放送受信装置は、前記放送サービスフォロー部において、前記ＩＰラジオの放送サービスが前記受信対象放送に設定されているときに、当該受信対象放送と同じコンテンツを放送している前記第１の放送規格のラジオ放送の放送サービスを受信可能となったときに、当該受信可能な第１の放送規格のラジオ放送の放送サービスに前記受信対象放送を切り替えるように構成してもよい。
【００１６】
また、以上の放送受信装置において、前記第１の放送規格のラジオ放送をデジタルラジオ放送とし、前記第２の放送規格のラジオ放送はアナログラジオ放送としてもよい。
また、以上の放送受信装置において、前記第１の放送規格のラジオ放送はＤＡＢ（Digital Audio Broadcasting）であってよく、前記第２の放送規格のラジオ放送はＦＭ放送であってよい。
【００１７】
また、以上の放送受信装置において、前記情報サービスは、たとえば、RadioDNS規格に従ったサービスであることを特徴とする放送受信装置。
また、以上の放送受信装置は自動車に搭載された車載型の放送受信装置であってもよい。
【発明の効果】
【００１８】
以上のように、本発明によれば、インターネットを介してサイマル放送の関係にあるＩＰラジオのステーションのURLを取得できない放送についても、当該放送とサイマル放送の関係にあるＩＰラジオへの切替を可及的に行うことができる。
【図面の簡単な説明】
【００１９】
【図１】本発明の実施形態に係るラジオ放送システムの構成を示すブロック図である。
【図２】本発明の実施形態に係るラジオ放送受信機の構成を示すブロック図である。
【図３】本発明の実施形態に係るサイマル放送管理テーブルを示す図である。
【図４】本発明の実施形態に係るＤＡＢフォロー処理を示すフローチャートである。
【図５】本発明の実施形態に係るサイマル放送登録処理を示すフローチャートである。
【図６】本発明の実施形態に係るＦＭ放送フォロー処理を示すフローチャートである。
【図７】本発明の実施形態に係るＩＰラジオフォロー処理を示すフローチャートである。
【図８】本発明の実施形態に係るラジオ放送受信機の動作例を示す図である。
【発明を実施するための形態】
【００２０】
以下、本発明の実施形態について説明する。
図１に、本実施形態に係るラジオ放送システムの構成を示す。
図示するように、ラジオ放送受信機１は、自動車に搭載されるラジオ放送受信機１であり、放送局２からＤＡＢ（Digital Audio Broadcasting）やＦＭ放送を受信する。また、ラジオ放送受信機１は、移動通信を介してインターネット３に接続しインターネット３上のＩＰラジオサーバ４が配信するＩＰラジオを受信する。ここでＩＰラジオサーバ４が配信するＩＰラジオには、ＤＡＢやＦＭ放送とサイマル放送の関係にあるＩＰラジオ、すなわち、ＤＡＢやＦＭ放送と同じコンテンツ（同じ番組）の放送が行われるＩＰラジオが含まれる。
【００２１】
また、インターネット３上には、ＤＡＢやＦＭ放送とサイマル放送の関係にあるＩＰラジオのＵＲＬを提供するＲａｄｉｏＤＮＳ５が配置されている。
次に、図２に、ラジオ放送受信機１の構成を示す。
図示するように、ラジオ放送受信機１は、移動通信を行う移動通信装置１１１、移動通信装置１１１を介してインターネット３上のＩＰラジオサーバ４からＩＰラジオを受信し受信した音声を出力するＩＰラジオプレイヤ１１２、放送局２からＤＡＢを受信し受信した音声を出力するＤＡＢチューナ１１３、放送局２からＦＭ放送を受信し受信した音声を出力するＦＭチューナ１１４を備えている。
【００２２】
また、ラジオ放送受信機１は、入力装置１１５、表示装置１１６、記憶装置１１７、ＤＡＢチューナ１１３とＦＭチューナ１１４とＩＰラジオプレイヤ１１２が出力する音声のいずれかを選択し出力するセレクタ１１８、セレクタ１１８が出力する音声を増幅し出力するアンプ１１９、アンプ１１９が出力する音声信号で駆動され音声を出力するスピーカ１２０、以上のラジオ放送受信機１の各部を制御する制御部１２１を備えている。
【００２３】
次に、図３に、本実施形態において記憶装置１１７に格納するサイマル放送管理テーブルを示す。
図示するようにサイマル放送管理デーブルには、ＤＡＢのサービスの識別を示すＤＡＢ識別情報、ＦＭ放送のステーション（ＤＡＢにおけるサービスに相当）の識別を示すＦＭ放送識別情報、ＩＰラジオのステーション（ＤＡＢにおけるサービスに相当）の識別を示すＩＰラジオ識別情報、更新日時を登録するエントリ（図の各行）を複数設けることができる。ここで、同じエントリのＤＡＢ識別情報とＦＭ放送識別情報とＩＰラジオ識別情報は、相互に」＝サイマル放送の関係にあるＤＡＢのサービスとＦＭ放送のステーションとＩＰラジオのステーションの識別を表している。また、更新日時は、そのエントリが更新された日時を表している。
【００２４】
ここで、ＤＡＢ識別情報としては、ＤＡＢのサービスの国コード、アッセンブリ識別子EID、サービス識別子SID 、サービスコンポーネント識別子SIDSなどを用いることができる。また、ＦＭ放送識別情報としてはＦＭ放送のステーションの国コード、プログラム識別子PI、周波数などを用いることができる。なお、ＦＭ放送識別情報には、必ず、プログラム識別子PIを含めるようにする。また、ＩＰラジオ識別情報としてはＩＰラジオのステーションのURLを用いる。
【００２５】
さて、このようなラジオ放送受信機１において、制御部１２１は、ユーザから特定のＤＡＢのサービスの受信を指示されると、受信を指示されたＤＡＢのサービスを受信対象放送に設定し、ＤＡＢチューナ１１３に受信対象放送の受信を開始させると共に、セレクタ１１８にＤＡＢチューナ１１３が出力する音声を選択させることにより、受信対象放送で受信した音声をスピーカ１２０から出力する。また、制御部１２１は、ユーザから特定のＦＭ放送のステーションの受信を指示されると、受信を指示されたＦＭ放送のステーションを受信対象放送に設定しＦＭチューナ１１４に受信対象放送の受信を開始させると共に、セレクタ１１８にＦＭチューナ１１４が出力する音声を選択させることにより、受信対象放送で受信した音声をスピーカ１２０から出力する。また、制御部１２１は、ユーザから特定のＩＰラジオのステーションの受信を指示されると、受信を指示されたＩＰラジオのステーションを受信対象放送に設定しＩＰラジオプレイヤ１１２に受信対象放送の受信を開始させると共に、セレクタ１１８にＩＰラジオプレイヤ１１２が出力する音声を選択させることにより、受信対象放送で受信した音声をスピーカ１２０から出力する。
【００２６】
ここで、ＤＡＢチューナ１１３がＤＡＢで受信するサービスリンキング情報は、プログラム（番組）毎に、そのプログラムを放送している、相互にサイマル放送の関係にあるＤＡＢのサービスとＦＭ放送のステーションの識別を示す。
【００２７】
また、ＤＡＢのサービスで放送される内容と、当該サービスのＳＩＤと一致するＰＩのプログラムを放送しているＦＭ放送のステーションは、サイマル放送の関係にあり、同内容のプログラム（番組）を放送している。なお、ＦＭ放送のステーションのＰＩは、ＦＭ放送のステーションから放送されるＲＤＳによって当該ＦＭ放送の音声と共にＦＭチューナ１１４によって受信される。
【００２８】
また、ＦＭ放送のＲＤＳで受信するＡＦリストは、同じＰＩのプログラムを放送している他のＦＭ放送の周波数を示す。
次に、制御部１２１は、移動通信装置１１１を介してＲａｄｉｏＤＮＳ５にアクセスして、特定のＤＡＢのサービスとサイマル放送の関係にあるＩＰラジオのステーションのURLを取得したり、特定のＦＭ放送のステーションとサイマル放送の関係にあるＩＰラジオのステーションのURLを取得したり、特定のＩＰラジオのステーションとサイマル放送の関係にあるＤＡＢのサービスやＦＭ放送のステーションの識別を取得することができる。
【００２９】
但し、ＲａｄｉｏＤＮＳ５は、全てのＦＭ放送のステーションについてサイマル放送の関係にあるＩＰラジオのステーションのURLを提供しておらず、このようなＦＭ放送のステーションについては、制御部１２１は、ＲａｄｉｏＤＮＳ５からサイマル放送の関係にあるＩＰラジオのステーションのURLを取得することができない。
【００３０】
さて、制御部１２１は、ＤＡＢのサービスが受信対象放送に設定されている期間中、ＤＡＢフォロー処理を行う。
図４に、このＤＡＢフォロー処理の手順を示す。
図示するように、制御部１２１は、ＤＡＢフォロー処理において、ＤＡＢチューナ１１３におけるＤＡＢの受信品質の劣化を監視する（ステップ４０２）。
そして、受信品質が劣化したならば、ＤＡＢチューナ１１３で受信中の受信対象放送であるＤＡＢのサービスとサイマル放送の関係にあり、かつ、受信可能な他のＤＡＢのサービスが存在するかどうかを調べ（ステップ４０４）、存在する場合には、受信状態が最良の他のＤＡＢのサービスに受信対象放送を切り替えて、ＤＡＢチューナ１１３に受信対象放送の受信を開始させ
ることにより、切り替え後の受信対象放送で受信した音声をスピーカ１２０から出力する（ステップ４０６）。
【００３１】
ここで、受信対象放送であるＤＡＢのサービスとサイマル放送の関係にある他のＤＡＢのサービスは、ＤＡＢから受信するサービスリンキング情報から識別することができる。また、受信対象放送であるＤＡＢのサービスとサイマル放送の関係にある他のＤＡＢのサービスの受信状態は、ＤＡＢチューナ１１３に、ＤＡＢを受信するチューナを２系統設け、一方のチューナで受信対象放送であるＤＡＢのサービスを受信している期間中、他方のチューナをバックグランドで用いて受信対象放送であるＤＡＢのサービスとサイマル放送の関係にある他のＤＡＢのサービスの受信状態を繰り返しサーチすることにより検出する。
【００３２】
一方、ＤＡＢチューナ１１３で受信中の受信対象放送であるＤＡＢのサービスとサイマル放送の関係にあり、かつ、受信可能な他のＤＡＢのサービスが存在しない場合には（ステップ４０４）、受信対象放送であるＤＡＢチューナ１１３で受信中のＤＡＢのサービスとサイマル放送の関係にあり、かつ、受信可能なＦＭ放送のステーションが存在するかどうかを調べ（ステップ４０８）、存在する場合には、存在したＦＭ放送のステーションのうちで受信状態が最も良好なＦＭ放送のステーションに受信対象放送を切り替え、ＦＭチューナ１１４に受信対象放送の受信を開始させると共に、セレクタ１１８にＦＭチューナ１１４が出力する音声を選択させることにより、切り替え後の受信対象放送で受信した音声をスピーカ１２０から出力する（ステップ４１０）。そして、ＤＡＢフォロー処理を終了する。
【００３３】
なお、受信対象放送であるＤＡＢチューナ１１３で受信中のＤＡＢのサービスとサイマル放送の関係にあるＦＭ放送のステーションの受信状態は、ＤＡＢのサービスが受信対象放送に設定されている期間中、ＤＡＢチューナ１１３で受信したサービスリンキング情報が示す受信中のＤＡＢのサービスとサイマル放送の関係にある各ＦＭ放送のステーションの受信状態のサーチをＦＭチューナ１１４にバックグランドで繰り返し実行させることにより取得する。
【００３４】
一方、受信対象放送であるＤＡＢチューナ１１３で受信中のＤＡＢのサービスとサイマル放送の関係にあり、かつ、受信可能なＦＭ放送のステーションが存在しなかった場合には（ステップ４０８）、受信対象放送であるＤＡＢチューナ１１３で受信中のＤＡＢのサービスとサイマル放送の関係にあるＩＰラジオのステーションが存在するかどうかを調べ（ステップ４１２）、存在した場合には、存在したＩＰステーションに受信対象放送を切り替え、ＩＰラジオプレイヤ１１２に受信対象放送の受信を開始させると共に、セレクタ１１８にＩＰラジオプレイヤ１１２が出力する音声を選択させることにより、切り替え後の受信対象放送で受信した音声をスピーカ１２０から出力する（ステップ４１４）。そして、ＤＡＢフォロー処理を終了する。
【００３５】
ここで、受信対象放送であるＤＡＢチューナ１１３で受信中のＤＡＢのサービスとサイマル放送の関係にあるＩＰラジオのステーションは、予め、ＲａｄｉｏＤＮＳ５から受信中のＤＡＢのサービスとサイマル放送の関係にあるＩＰラジオのステーションのURLを取得しておくことにより識別する。
【００３６】
また、受信対象放送であるＤＡＢチューナ１１３で受信中のＤＡＢのサービスとサイマル放送の関係にあるＩＰラジオのステーションが存在しなかった場合には（ステップ４１２）、ステップ４０２からの処理に戻る。
【００３７】
以上、制御部１２１が、ＤＡＢのサービスが受信対象放送に設定されている期間中行うＤＡＢフォロー処理について説明した。
次に、制御部１２１は、切り替わり先がＤＡＢのサービスである受信対象放送の切り替わりが発生すると、以上のＤＡＢフォロー処理と並行してサイマル放送登録処理を実行する。
【００３８】
図５に、サイマル放送登録処理の手順を示す。
図示するように、制御部１２１は、サイマル放送登録処理において、ＲａｄｉｏＤＮＳ５から受信中のＤＡＢのサービスとサイマル放送の関係にあるＩＰラジオのステーションのURLを取得する（ステップ５０２）。
【００３９】
そして、サイマル放送管理テーブルの、受信対象放送であるＤＡＢチューナ１１３で受信中のＤＡＢのサービスのＤＡＢ識別情報が登録されているエントリに、取得したＩＰラジオのステーションのURLをＩＰラジオ識別情報として登録すると共に当該エントリの更新日時を現在日時に更新する（ステップ５０４）。なお、当該ステップ５０４の実行時に、サイマル放送管理テーブルに、受信対象放送であるＤＡＢチューナ１１３で受信中のＤＡＢのサービスのＤＡＢ識別情報が登録されているエントリが存在しなかった場合には、受信中のＤＡＢのサービスのＤＡＢ識別情報を登録したエントリを新たにサイマル放送管理テーブルに作成した上で、作成したエントリに取得したＩＰラジオのステーションのURLをＩＰラジオ識別情報として登録すると共に当該エントリの更新日時を現在日時に更新する。
【００４０】
次に、制御部１２１は、受信対象放送の変化の発生を監視し（ステップ５０６）、受信対象放送が変化したならば、当該受信対象放送の変化が上述したＤＡＢフォロー処理による、受信対象放送のＤＡＢのサービスからＦＭ放送のステーションへの切り替えによるものであるかどうかを判定する（ステップ５０８）。
【００４１】
そして、受信対象放送の変化が上述したＤＡＢフォロー処理による、受信対象放送のＤＡＢのサービスからＦＭ放送のステーションへの切り替えによるものであれば（ステップ５０８）、サイマル放送管理テーブルの、受信対象放送の変化前に受信対象放送であったＤＡＢのサービスのＤＡＢ識別情報が登録されているエントリに、変化後の受信対象放送であるＦＭ放送のステーションの識別をＦＭ放送識別情報として登録すると共に、当該エントリの更新日時を現在日時に更新する（ステップ５１０）。そして、サイマル放送登録処理を終了する。
【００４２】
一方、受信対象放送の変化が上述したＤＡＢフォロー処理による、受信対象放送のＤＡＢのサービスからＦＭ放送のステーションへの切り替えによるものでなければ（ステップ５０８）、そのままサイマル放送登録処理を終了する。
【００４３】
次に、制御部１２１は、定期的にサイマル管理テーブルのエントリのうちの、登録されている更新日時が所定期間以上古いエントリを削除する処理も行う。
また、制御部１２１は、切り替わり先がＦＭ放送のステーションである受信対象放送の切り替わりが発生したならば、ＲａｄｉｏＤＮＳ５から、受信中のＦＭ放送のステーションとサイマル放送の関係にあるＩＰラジオのステーションのURLの取得を試み、ＩＰラジオのステーションのURLの取得が成功したならば、取得したＩＰラジオのステーションのURLを保存するサイマルＩＰラジオ放送ルックアップ処理を行う。
【００４４】
また、制御部１２１は、ＦＭ放送のステーションが受信対象放送に設定されている期間中、ＦＭ放送フォロー処理を行う。
図６に、このＦＭ放送フォロー処理の手順を示す。
図示するように、制御部１２１は、ＦＭ放送フォロー処理において、受信対象放送であるＦＭチューナ１１４で受信中のＦＭ放送のステーションとサイマル放送の関係にあり、かつ、受信可能なＤＡＢのサービスの発生（ステップ６０２）と、ＦＭチューナ１１４における受信対象放送であるＦＭ放送のステーションの受信品質の劣化の発生（ステップ６０４）とを監視する。
【００４５】
ここで、受信対象放送であるＦＭチューナ１１４で受信中のＦＭ放送のステーションとサイマル放送の関係にあるＤＡＢのサービスは、受信中のＦＭ放送のステーションのPIと等しいSIDのＤＡＢのサービスとして識別するようにしてもよいし、それまでにＤＡＢで受信したサービスリンキング情報に基づいて識別するようにしてもよい。
【００４６】
また、受信対象放送であるＦＭチューナ１１４で受信中のＦＭ放送のステーションとサイマル放送の関係にあるＤＡＢのサービスの受信状態は、ＦＭ放送のステーションが受信対象放送に設定されている期間中、受信中のＦＭ放送のステーションとサイマル放送の関係にある各ＤＡＢのサービスの受信状態のサーチをＤＡＢチューナ１１３にバックグランドで繰り返し実行させることにより取得する。
【００４７】
そして、受信対象放送であるＦＭチューナ１１４で受信中のＦＭ放送のステーションとサイマル放送の関係にあり、かつ、受信可能なＤＡＢのサービスが発生した場合には（ステップ６０２）、受信中のＦＭ放送のステーションとサイマル放送の関係にある受信状態が最も良好なＤＡＢのサービスに受信対象放送を切り替え（ステップ６０６）、ＤＡＢチューナ１１３に受信対象放送の受信を開始させると共に、セレクタ１１８にＤＡＢチューナ１１３が出力する音声を選択させることにより、切り替え後の受信対象放送で受信した音声をスピーカ１２０から出力する。そして、ＦＭ放送フォロー処理を終了する。
【００４８】
一方、ＦＭチューナ１１４における受信対象放送であるＦＭ放送のステーションの受信品質の劣化が発生した場合には（ステップ６０４）、ＦＭチューナ１１４で受信中の受信対象放送であるＦＭ放送のステーションとサイマル放送の関係にあり、かつ、受信可能な他のＦＭ放送のステーションが存在するかどうかを調べ（ステップ６０８）、存在する場合には、受信可能な他のＦＭ放送のステーションに受信対象放送を切り替えて、ＦＭチューナ１１４に受信対象放送の受信を開始させることにより、切り替え後の受信対象放送で受信した音声をスピーカ１２０から出力する（ステップ６１０）。
【００４９】
ここで、受信対象放送である受信対象放送であるＦＭ放送のステーションとサイマル放送の関係にある他のＦＭ放送のステーションは、受信対象放送であるＦＭ放送のステーションから受信するＡＦリストから識別することができる。
【００５０】
また、受信対象放送であるＦＭ放送のステーションとサイマル放送の関係にある他のＦＭ放送のステーションの受信状態は、たとえば、ＦＭチューナ１１４に、ＦＭ放送を受信するチューナを２系統設け、一方のチューナで受信対象放送であるＦＭ放送のステーションを受信し、他方のチューナをバックグランドで用いて、受信対象放送であるＦＭ放送のステーションとサイマル放送の関係にある他のＦＭ放送のステーションの受信状態を繰り返しサーチすることにより検出する。
【００５１】
一方、ＦＭチューナ１１４で受信中の受信対象放送であるＤＡＢのサービスとサイマル放送の関係にあり、かつ、受信可能な他のＦＭ放送のステーションが存在しない場合には（ステップ６０８）、上述したサイマルＩＰラジオ放送ルックアップ処理によって、ＲａｄｉｏＤＮＳ５から、受信中のＦＭ放送のステーションとサイマル放送の関係にあるＩＰラジオのステーションのURLを取得、保存できているかどうかを調べる（ステップ６１２）。
【００５２】
そして、ＩＰラジオのステーションのURLを取得、保存できている場合には、保存されているURLのＩＰステーションに受信対象放送を切り替え、ＩＰラジオプレイヤ１１２に受信対象放送の受信を開始させると共に、セレクタ１１８にＩＰラジオプレイヤ１１２が出力する音声を選択させることにより、切り替え後の受信対象放送で受信した音声をスピーカ１２０から出力する（ステップ６１４）。そして、ＦＭ放送フォロー処理を終了する。
【００５３】
一方、ＩＰラジオのステーションのURLを取得、保存できていない場合には、サイマル放送管理テーブルに、受信対象放送であるＦＭチューナ１１４で受信中のＦＭ放送のステーションのPIと等しいPIを含む識別がＦＭ放送識別情報として登録されているエントリが存在するかどうかを調べ（ステップ６１６）、存在しない場合にはステップ６０２からの処理に戻る。
【００５４】
一方、受信中のＦＭ放送のステーションのPIと等しいPIを含む識別がＦＭ放送識別情報として登録されているエントリが存在する場合には（ステップ６１６）、存在したエントリのうちの更新日時が最近のエントリのＩＰラジオ識別情報が示すURLのＩＰラジオのステーションに受信対象放送を切り替え、ＩＰラジオプレイヤ１１２に受信対象放送の受信を開始させると共に、セレクタ１１８にＩＰラジオプレイヤ１１２が出力する音声を選択させることにより、切り替え後の受信対象放送で受信した音声をスピーカ１２０から出力する（ステップ６１８）。
【００５５】
そして、ＦＭ放送フォロー処理を終了する。
以上、制御部１２１が、ＦＭ放送のステーションが受信対象放送に設定されている期間中行うＦＭ放送フォロー処理について説明した。
また、制御部１２１は、ＩＰラジオのステーションが受信対象放送に設定されている期間中、ＩＰラジオフォロー処理を行う。
図７に、このＩＰラジオフォロー処理の手順を示す。
図示するように、制御部１２１は、ＩＰラジオフォロー処理において、受信対象放送であるＩＰラジオプレイヤ１１２で受信中のＩＰラジオのステーションとサイマル放送の関係にあり、かつ、受信可能なＤＡＢのサービスの発生（ステップ７０２）と、受信対象放送であるＩＰラジオプレイヤ１１２で受信中のＩＰラジオのステーションとサイマル放送の関係にあり、かつ、受信可能なＦＭ放送のステーションの発生（ステップ７０２）とを監視する。
【００５６】
ここで、受信中のＩＰラジオのステーションとサイマル放送の関係にあるＤＡＢ放送のサービスとＦＭ放送のステーションの識別はＲａｄｉｏＤＮＳ５から取得することができる。
【００５７】
また、受信中のＩＰラジオのステーションとサイマル放送の関係にあるＤＡＢ放送のサービスとＦＭ放送のステーションの受信状態は、ＩＰラジオのステーションが受信対象放送に設定されている期間中、サイマル放送の関係にある各ＤＡＢのサービスの受信状態のサーチをＤＡＢチューナ１１３に、サイマル放送の関係にある各ＦＭ放送のステーションの受信状態のサーチをＦＭチューナ１１４に、バックグランドで繰り返し実行させることにより取得する。
【００５８】
そして、受信対象放送であるＩＰラジオプレイヤ１１２で受信中のＩＰラジオのステーションとサイマル放送の関係にあり、かつ、受信可能なＤＡＢのサービスが発生した場合には（ステップ７０２）、受信中のＩＰラジオのステーションとサイマル放送の関係にある受信状態が最も良好なＤＡＢのサービスに受信対象放送を切り替え、ＤＡＢチューナ１１３に受信対象放送の受信を開始させると共に、セレクタ１１８にＤＡＢチューナ１１３が出力する音声を選択させることにより、切り替え後の受信対象放送で受信した音声をスピーカ１２０から出力する（ステップ７０６）。そして、ＩＰラジオフォロー処理を終了する。
【００５９】
一方、受信対象放送であるＩＰラジオプレイヤ１１２で受信中のＩＰラジオのステーションとサイマル放送の関係にあり、かつ、受信可能なＦＭ放送のステーションが発生した場合には（ステップ７０４）、受信中のＩＰラジオのステーションとサイマル放送の関係にある受信状態が最も良好なＦＭ放送のステーションに受信対象放送を切り替え、ＦＭチューナ１１４に受信対象放送の受信を開始させると共に、セレクタ１１８にＦＭチューナ１１４が出力する音声を選択させることにより、切り替え後の受信対象放送で受信した音声をスピーカ１２０から出力する（ステップ７０８）。そして、ＩＰラジオフォロー処理を終了する。
【００６０】
以上、制御部１２１が、ＩＰラジオのステーションが受信対象放送に設定されている期間中行うＩＰラジオフォロー処理について説明した。
以下、このようなラジオ放送受信装置の動作例を図８に示す。
いま、ラジオ放送受信装置において、時刻ｔ０においてＤＡＢのサービスが受信対象放送に設定されると、ＤＡＢのサービスの受信とＤＡＢのサービスから受信した音声の出力が開始されると共に、ＲａｄｉｏＤＮＳ５から受信中のＤＡＢのサービスとサイマル放送の関係にあるＩＰラジオのステーションのURLが取得され、サイマル管理テーブルの受信対象放送に設定されているＤＡＢのサービスの識別がＤＡＢ識別情報として登録されているエントリに、取得したＩＰラジオのステーションのURLがＩＰラジオ識別情報として登録される。
【００６１】
そして、その後、時刻ｔ１でＤＡＢのサービスの受信品質が劣化すると、受信対象放送が、それまで受信していたＤＡＢのサービスとサイマル放送の関係にあるＦＭ放送のステーションに切り替わり、ＦＭ放送のステーションの受信とＦＭ放送のステーションから受信した音声の出力が開始されると共に、サイマル管理テーブルの、切り替わり前の受信対象放送であるＤＡＢのサービスの識別がＤＡＢ識別情報として登録されているエントリに、切り替わり後の受信対象放送であるＦＭ放送のステーションの識別がＦＭ放送識別情報として登録される。
【００６２】
また、時刻ｔ１で受信対象放送がＦＭ放送のステーションに切り替わると、ＲａｄｉｏＤＮＳ５から受信中のＦＭ放送のステーションとサイマル放送の関係にあるＩＰラジオのステーションのURLの取得が試みられるが、ここでは、ＲａｄｉｏＤＮＳ５が受信中のＦＭ放送のステーションのサイマル放送の情報を提供していないため、当該ＩＰラジオのステーションのURLの取得は失敗する。
【００６３】
そして、その後、時刻ｔ２でＦＭ放送のステーションの受信品質が劣化すると、受信対象放送が、サイマル管理テーブルの、受信対象放送に設定されているＦＭ放送のステーションの識別がＦＭ放送識別情報として登録されているエントリのＩＰラジオ識別情報がURLを示すＩＰラジオのステーションに切り替わり、ＩＰラジオのステーションの受信とＩＰラジオのステーションから受信した音声の出力が開始される。
【００６４】
また、時刻ｔ２で、受信対象放送がＩＰラジオのステーションに切り替わると、ＲａｄｉｏＤＮＳ５から受信中のＩＰラジオのステーションとサイマル放送の関係にあるＤＡＢ放送のサービスやＦＭ放送のステーションの識別が取得される。
【００６５】
そして、時刻ｔ３で受信中のＩＰラジオのステーションとサイマル放送の関係にあるＤＡＢのサービスが受信可能となると、当該ＤＡＢのサービスに受信対象放送が切り替わり、ＤＡＢのサービスの受信とＤＡＢのサービスから受信した音声の出力が開始される
以上、本発明の実施形態について説明した。
【００６６】
ところで、以上の実施形態は次のように修正して実施するようにしてもよい。
すなわち、この場合には、図５に示したサイマル放送登録処理を、ＤＡＢのサービスが受信対象放送に設定されている期間中に、ＲａｄｉｏＤＮＳ５から受信中のＤＡＢのサービスとサイマル放送の関係にあるＩＰラジオのステーションのURLを取得して保存するものとする。また、図６のＦＭ放送フォロー処理のステップ６１２を、現在の受信対象放送がＤＡＢフォロー処理によって受信対象放送に設定されたＦＭ放送のステーション、または、現在の受信対象放送がＤＡＢフォロー処理によって受信対象放送に設定されたＦＭ放送のステーションとPIが等しいＦＭ放送のステーションであるかどうかを調べ、そうである場合にステップ６１４に進み、そうでない場合にステップ６０２に戻る処理とする。そして、ＦＭ放送フォロー処理のステップ６１４を、サイマル放送登録処理によって保存された最新のＩＰラジオのステーションのURLのＩＰステーションに受信対象放送を切り替え、ＩＰラジオプレイヤ１１２に受信対象放送の受信を開始させると共に、セレクタ１１８にＩＰラジオプレイヤ１１２が出力する音声を選択させることにより、切り替え後の受信対象放送で受信した音声をスピーカ１２０から出力し、ＦＭ放送フォロー処理を終了する処理とする。なお、この場合、ステップ６１６、６１８は不要である。
【００６７】
なお、以上では、ＩＰラジオとＤＡＢとＦＭ放送とをラジオ放送受信器で受信する場合について説明したが、本実施形態は、ＩＰラジオと、複数の異なる放送規格のラジオ放送を受信するラジオ放送受信器に同様に適用可能である。
【符号の説明】
【００６８】
１…ラジオ放送受信機、２…放送局、３…インターネット、４…ＩＰラジオサーバ、５…ＲａｄｉｏＤＮＳ、１１１…移動通信装置、１１２…ＩＰラジオプレイヤ、１１３…ＤＡＢチューナ、１１４…ＦＭチューナ、１１５…入力装置、１１６…表示装置、１１７…記憶装置、１１８…セレクタ、１１９…アンプ、１２０…スピーカ、１２１…制御部。
【図１】
2018082399.tif 000003
【図２】
2018082399.tif 000004
【図３】
2018082399.tif 000005
【図４】
2018082399.tif 000006
【図５】
2018082399.tif 000007
【図６】
2018082399.tif 000008
【図７】
2018082399.tif 000009
【図８】
2018082399.tif 000010